(57)【要約】【課題】本発明は送信器と同一の筐体内に収納されるチューナ部において、送信信号による妨害を少なくすることを目的とするものである。【解決手段】本発明は、この課題を解決するために受信アンテナ１５で受信した高周波信号が供給されるＳＡＷフィルタ１６ｄと、このＳＡＷフィルタ１６ｄの出力が共通端子へ入力される切り替えスイッチ１６ｅと、この切り替えスイッチ１６ｅの一方の出力に接続されたＵＨＦ用チューナ１６ａと、切り替えスイッチ１６ｅの他方の出力に接続されるＶＨＦ用チューナ１６ｂとを備え、ＳＡＷフィルタ１６ｄは送信器１２ｂから送信される周波数を減衰させるものである。これにより、切り替えスイッチ１６ｅへレベルの大きな送信信号が入力されることを防ぐことができる。【選択図】図１
2011239004.tif 000002
【特許請求の範囲】
【請求項１】
送信器と同一の筐体内に収納される高周波受信装置において、アンテナで受信した高周波信号を入力される入力端子と、この入力端子に入力された前記高周波信号が共通端子へ入力される切り替えスイッチと、この切り替えスイッチの一方の出力に接続されるとともに第１の周波数帯域の信号を受信する第１のチューナと、この第１のチューナの出力が供給される第１の出力端子と、前記切り替えスイッチの他方の出力に接続されるとともに、前記第１の周波数帯域よりも高い第２の周波数帯域を受信する第２のチューナと、この第２のチューナの出力が接続された第２の出力端子を備え、前記入力端子と前記共通端子との間には、前記送信器から送信される周波数を減衰させる第１のフィルタが挿入された高周波信号受信装置。
【請求項２】
チューナには、切り替えスイッチの出力が供給される周波数変換回路と、この周波数変換回路の出力が接続された第２のフィルタと、この第２のフィルタの出力が供給された復調回路とを含み、少なくとも前記周波数変換回路と前記復調回路とはＣＭＯＳによって形成され、切り替えスイッチには前記周波数変換回路や前記復調回路とほぼ同一の電圧が供給された請求項１に記載の高周波信号受信装置。
【請求項３】
スイッチはＣＭＯＳとした請求項２に記載の高周波信号受信装置。
【請求項４】
第１のフィルタは、ローパス型のＳＡＷフィルタとした請求項３に記載の高周波信号受信装置。
【請求項５】
入力端子と共通端子との間には、第１のフィルタと並列に挿入されたスイッチを設け、前記スイッチは送信器から送信信号が出力された場合に、オフとする請求項３に記載の高周波信号受信装置。
【請求項６】
第１と第２のチューナは、プリント基板上に実装された電子部品によって前記プリント基板上に形成されるとともに、少なくとも切り替えスイッチは前記プリント基板上に実装され、前記第１と第２のチューナおよび前記切り替えスイッチは、少なくとも上方と側方とがシールド金属によって囲まれた請求項１に記載の高周波信号受信装置。
【請求項７】
プリント基板は多層基板を用い、前記プリント基板の内層にはグランドパターンを設け、このグランドパターンとシールド金属とが接続された請求項６に記載の高周波信号受信装置。
【請求項８】
シールド金属は、プリント基板側面全体を覆う請求項７に記載の高周波信号受信装置。
【請求項９】
入力装置と、この入力装置で入力された信号が供給される信号処理回路と、この信号処理回路の出力が供給された送信器と、この送信器が接続された送信アンテナと、受信アンテナと、この受信アンテナと信号処理回路の間に挿入されたチューナ部とを備え、少なくとも前記送信器と、前記送信アンテナと、前記受信アンテナと、前記チューナ部とが同一筐体内に収納された移動体通信機器において、前記チューナ部は、受信アンテナが接続される入力端子と、この入力端子と、この入力端子に入力された前記高周波信号が共通端子へ入力される切り替えスイッチと、この切り替えスイッチの一方の出力に接続され、第１の周波数帯域の信号を受信する第１のチューナと、この第１のチューナの出力が供給される第１の出力端子と、前記切り替えスイッチの他方の出力に接続されるとともに、前記第１の周波数帯域よりも高い周波数帯域の信号を受信する第２のチューナと、この第２のチューナの出力が接続された第２の出力端子とを備え、前記入力端子と前記共通端子との間には、前記送信器から送信される周波数を減衰させる第１のフィルタが挿入された移動体通信機器。
【請求項１０】
チューナ部には、入力端子と共通端子との間に挿入されるとともに、第１のフィルタと並列に挿入されたスイッチと、このスイッチの制御端子に接続されたオンオフ端子を設け、信号処理回路の出力を前記オンオフ端子へ接続し、前記信号処理回路は前記送信器へ送信信号を出力したときに、前記スイッチをオフとする旨の信号を前記オンオフ端子に対して出力する請求項９に記載の移動体通信機器。
【発明の詳細な説明】
【技術分野】
【０００１】
本発明は、携帯電話などの通信機器と同一の筐体内に収納された高周波信号受信装置に関するものである。
【背景技術】
【０００２】
以下、従来の高周波信号受信装置について図面を用いて説明する。図４は従来のテレビ放送の受信機の回路ブロック図である。図４において、従来の受信機１は、家庭内においてテレビ放送を受信するためのものであり、屋外に設置されたアンテナ２で受信したテレビ放送信号を受信し、映像信号や音声信号へ変換し、表示部やスピーカなどの出力装置３へ出力する。
【０００３】
そのために、アンテナ２はチューナ部４へと接続され、このチューナ部４と出力装置３との間には信号処理回路５が設けられる。そしてアンテナ２で受信したテレビ放送信号はチューナ部４でＩＦ周波数へと変換して、信号処理回路５へ出力する。信号処理回路５では、チューナ部４から入力された信号を復調し、復調された信号を音声信号や映像信号へと変換して出力する。
【０００４】
ここで、テレビ放送信号は、ＵＨＦ帯とＶＨＦ帯の放送帯域を用いて送信されている。そこで、それぞれの帯域の放送を受信するために、チューナ部４内にはＵＨＦ帯域のテレビ放送信号を受信するＵＨＦ放送受信用チューナ（以降ＵＨＦ用チューナ４ａという）と、ＶＨＦ放送受信用チューナ（以降ＶＨＦ用チューナ４ｂという）を有している。そして、受信したい放送の帯域によって、どちらのチューナへテレビ放送信号を供給するかを選択するために、アンテナ２とＵＨＦ用チューナ４ａやＶＨＦ用チューナ４ｂとの間に切り替えスイッチ４ｃが挿入されている。
【０００５】
なお、この出願の発明に関連する先行技術文献情報としては、例えば、特許文献１が知られている。
【先行技術文献】
【特許文献】
【０００６】
【特許文献１】特開平１１−１１２３７５号公報
【発明の概要】
【発明が解決しようとする課題】
【０００７】
近年、携帯電話に代表される移動体通信機器には、デジタル放送を受信するチューナが同じ筐体内に収納されるようになってきている。そして、このような移動体通信機器では、バッテリーによって動作するため、非常に低消費電力化（低電圧化）が要求される。そこで近年では約１．８Ｖの非常に低い電圧で駆動するＵＨＦ用チューナ４ａやＶＨＦ用チューナ４ｂも登場してきている。
【０００８】
そこで、切り替えスイッチ４ｃに対して、例えばＣＭＯＳなどによる低電圧で駆動するスイッチを用いることとなる。ところがこのような低電圧駆動のスイッチは耐電圧が低く、通信機器から送信される非常に信号レベルの大きな送信信号によって、受信信号に歪みが生じ、受信品質が悪化するという課題を有していた。
【０００９】
そこで本発明は、この問題を解決したもので、送信信号による妨害の少ない高周波信号受信装置を提供することを目的としたものである。
【課題を解決するための手段】
【００１０】
この目的を達成するために切り替えスイッチとアンテナとの間に送信信号を減衰させるフィルタが挿入されたものである。これにより所期の目的を達成することができる。
【発明の効果】
【００１１】
以上のように本発明によれば、送信器と同一の筐体内に収納される高周波受信装置において、アンテナで受信した高周波信号を入力される入力端子と、この入力端子に入力された前記高周波信号が共通端子へ入力される切り替えスイッチと、この切り替えスイッチの一方の出力に接続されたＵＨＦ放送受信用のチューナと、このＵＨＦ放送受信用のチューナの出力が供給される第１の出力端子と、前記切り替えスイッチの他方の出力に接続されたＶＨＦ放送受信用のチューナと、このＶＨＦ放送受信用のチューナの出力が接続された第２の出力端子を備え、前記入力端子と前記共通端子との間には、前記送信器から送信される周波数を減衰させる第１のフィルタが挿入された高周波信号受信装置であり、これにより第１のフィルタが送信器の送信信号を減衰させるので、切り替えスイッチに供給される送信信号のレベルを小さくできる。したがって、切り替えスイッチにおいて受信信号が歪まなくなり、送信信号による妨害の少ない高周波信号受信装置を実現できる。
【００１２】
さらに、切り替えスイッチに耐電圧に優れた高価な半導体を使用する必要がない。したがって、非常に安価な高周波信号受信装置を実現できる。そしてこのように、切り替えスイッチに耐電圧が低い半導体を使用することができるので、低電圧で駆動する半導体を使用することができる。従って、バッテリー寿命を長くできるとともに、別途昇圧回路などを設ける必要がなく、安価かつ小型の高周波信号受信装置を得ることができる。
【図面の簡単な説明】
【００１３】
【図１】本実施の形態における携帯電話の回路ブロック図
【図２】同、携帯電話に用いるＳＡＷフィルタの通過特性図
【図３】同、チューナ部の断面図
【図４】従来のテレビ放送の受信機の回路ブロック図
【発明を実施するための形態】
【００１４】
以下、本実施の形態における移動体通信機器について図面を用いて、詳細に説明する。
【００１５】
（実施の形態１）
図１は、本実施の形態における移動体通信機器の回路ブロック図であり、図２は、同移動体通信機器に用いられるＳＡＷフィルタの通過特性図である。図１において、携帯電話１１（移動体通信機器の一例として用いた）には、通信回路部１２と、テレビ受信回路部１３と、入出力部１４とを有し、これらが同一の筐体内に収納されている。ここで、入出力部１４には、スピーカや表示装置などの出力装置３と、入力キースイッチやマイクなどの入力装置１４ａとを含んでいる。
【００１６】
次に、通信回路部１２には、信号処理回路１２ａと送信器１２ｂとデュプレクサ１２ｃと、送受信アンテナ１２ｄおよび、受信器１２ｅとを含んでいる。詳しくは、信号処理回路１２ａには入力装置１４ａで入力された信号（マイクからの音声や入力キーなどからの指令やデータ信号）が供給される。この信号処理回路では、入力された信号を送信可能なように処理を行う。例えば、音声信号はＡ／Ｄ変換器によってデジタル信号へと変換し、送信パケット単位で送信器１２ｂへ出力する。またＥメールなどは、キー入力で指示された文字などを対応するデジタルデータへと変換し、送信パケット単位で送信器１２ｂへと出力する。
【００１７】
送信器１２ｂは、信号処理回路１２ａから出力された信号を変調するとともに、周波数変換する。そして送信器１２ｂの出力は、デュプレクサ１２ｃの入力端子へと接続され、送信器１２ｂで周波数変換された信号がデュプレクサ１２ｃへと供給される。本実施の形態において送信器１２ｂは、信号処理回路１２ａから出力された信号を、約８００ＭＨｚの周波数へと変換している。それ以外にも、通信機器の使用周波数帯域として１．５ＧＨｚ帯や２ＧＨｚ帯の周波数なども使用され、送信器１２ｂではその通信機器の適用されるべき周波数帯へと変換する。そしてデュプレクサ１２ｃの入出力端子は、送受信アンテナ１２ｄへ接続され、送信器１２ｂからデュプレクサ１２ｃへ入力された信号は送受信アンテナ１２ｄへと出力される。
【００１８】
ここで、デュプレクサ１２ｃの出力端子には、受信器１２ｅが接続されている。そしてこの受信器１２ｅの出力は、信号処理回路１２ａへと接続される。これにより送受信アンテナ１２ｄで受信した受信信号は、受信器１２ｅによって周波数変換される。そして信号処理回路１２ａでは、受信器１２ｅから出力された出力信号を音声や映像、画像信号などへと変換し、出力装置３へと出力する。なおここで、デュプレクサ１２ｃは送信器１２ｂから入力された送信信号を送受信アンテナ１２ｄへと出力し、送受信アンテナ１２ｄから入力された信号を受信器１２ｅへと出力する。
【００１９】
次にテレビ受信回路部１３は、テレビ放送信号やマルチメディア放送信号などの高周波信号（以降、総称して放送信号という、高周波信号の一例として用いた）を受信する受信アンテナ１５と、この受信アンテナ１５で受信したテレビ放送信号が供給されるチューナ部１６（高周波信号受信装置の一例として用いた）とから構成される。そしてこのチューナ部１６の出力は、信号処理回路１２ａへと出力される。ここで、チューナ部１６は、受信したテレビ放送信号やマルチメディア放送の放送信号を復調し、トランスポートストリーム信号（以降、ＴＳ信号と言う）へと変換して出力する。
【００２０】
ここで日本において、地上波デジタル放送（ワンセグ放送など）によるテレビ放送は既に開始され、ＵＨＦ帯域の周波数（約４７０ＭＨｚ〜７７０ＭＨｚ）を用いて放送されている。一方、現在アナログ放送が放送されているＶＨＦ帯域（９０ＭＨｚ〜１０８ＭＨｚ、１７０ＭＨｚ〜２２２ＭＨｚ）は、アナログ放送の停波後にマルチメディア放送用途で使用される見込みである。そこで、本実施の形態におけるチューナ部１６には、ＵＨＦ帯域で放送される地上波デジタル放送を受信するＵＨＦ放送受信用チューナ（以降ＵＨＦ用チューナ１６ａという）と、ＶＨＦ帯域で放送されるマルチメディア放送を受信するＶＨＦ放送受信用チューナ（以降ＶＨＦ用チューナ１６ｂという）とを含んでいる。
【００２１】
さらにチューナ部１６には、入力端子１６ｃ、ＳＡＷフィルタ１６ｄ、切り替えスイッチ１６ｅ、およびスイッチ１６ｆ、オンオフ端子１６ｇならびに出力端子１６ｈと出力端子１６ｉとを含んでいる。
【００２２】
次に、このチューナ部１６の構成についてさらに詳しく説明する。入力端子１６ｃには、受信アンテナ１５で受信した放送信号が供給される。ＳＡＷフィルタ１６ｄは、入力端子１６ｃへ入力された放送信号が供給されて、この入力された信号の中で送信器１２ｂへ出力する周波数帯域の信号を減衰させる（通過を阻止する）ものである。
【００２３】
図２において縦軸は、ＳＡＷフィルタ１６ｄを通過する信号のレベルであり、横軸は周波数である。図２において、本実施の形態においては、約８００ＭＨｚ帯２１と、１．５ＧＨｚ帯２２と２ＧＨｚ帯２３に減衰トラップが入ったノッチフィルタである。また、このＳＡＷフィルタ１６ｄは、ＵＨＦ帯域より高い周波数の信号は減衰し、ＶＨＦ帯域とＵＨＦ帯域の周波数の信号は通過させるローパス型のＳＡＷノッチフィルタである。
【００２４】
次にＳＡＷフィルタ１６ｄやスイッチ１６ｆの出力は、切り替えスイッチ１６ｅの共通端子へと接続されている。そしてこの切り替えスイッチ１６ｅの一方の出力がＵＨＦ用チューナ１６ａの入力へ接続され、他方の出力がＶＨＦ用チューナ１６ｂの入力へと接続される。ここで、切り替えスイッチ１６ｅは低電圧により動作可能な半導体プロセスによる半導体を用いている。なお本実施の形態において、切り替えスイッチ１６ｅにはＣＭＯＳによる半導体を用いている。そして、ＵＨＦ用チューナ１６ａの出力は、出力端子１６ｈを介して信号処理回路１２ａへと供給される。一方、ＶＨＦ用チューナ１６ｂの出力は、出力端子１６ｉを介して信号処理回路１２ａへと供給される。
【００２５】
そして、本実施の形態におけるＵＨＦ用チューナ１６ａとＶＨＦ用チューナ１６ｂのそれぞれには、周波数変換回路１７と復調回路１８とを含んでいる。そして本実施の形態においては、ＵＨＦ用チューナ１６ａとＶＨＦ用チューナ１６ｂにおいて、周波数変換回路１７と復調回路１８とはともに低電圧による駆動を可能とするためにＣＭＯＳによる半導体を用いて形成されており、これらの回路は同一のシリコンウエハ上に形成（いわゆる１チップ構成であり、システムオンチップのＣＭＯＳＬＳＩである）されている。
【００２６】
本実施の形態において、周波数変換回路１７と復調回路１８はともに１．８Ｖの非常に低い電圧によって動作する。そして、切り替えスイッチ１６ｅを動作させるための駆動電圧は、これら周波数変換回路１７や復調回路１８へ供給する電圧と同一の電圧で駆動している。したがって、別途電圧変換回路（レギュレータやＤＣ−ＤＣコンバータあるいはチャージポンプ回路など）を付加する必要がなく、安価なチューナ部１６（携帯電話１１）を実現できる。
【００２７】
では、このような構成の携帯電話１１の動作について説明する。送信器１２ｂが出力する送信信号によるチューナ部１６への妨害は、通信回路部１２（送信器１２ｂ）とテレビ受信回路部１３（チューナ部１６）とが同時に動作している場合に発生する。これは、例えば、テレビ受信回路部１３において受信した放送を録画しながら、携帯電話１１で通話やメールあるいはインターネットなどを行う場合である。この場合、通信回路部１２では操作者の指示に応じ、送信器１２ｂから出力された送信信号は、送受信アンテナ１２ｄから空中へと放射される。
【００２８】
ここで、送受信アンテナ１２ｄから放射される送信信号のレベルは最大で約＋２４ｄＢｍである。一方、受信アンテナ１５で受信する放送信号のレベルは最大でも０ｄＢｍ程度（受信可能な放送信号の最小レベルは約−１００ｄＢｍ）であり、送信器１２ｂから出力される送信信号のレベルは、テレビ受信回路部１３で受信すべき放送信号のレベルに比べて非常に大きい。そして携帯電話１１では、送受信アンテナ１２ｄと受信アンテナ１５とが、同一の筐体内に収納されており、その距離は近接している。したがって、送受信アンテナ１２ｄから放射された送信信号は、大きな損失なく受信アンテナ１５によって受信されることとなる。
【００２９】
そしてもし、このような大きなレベルの送信信号が、受信アンテナ１５を介して切り替えスイッチ１６ｅへ入力されると、切り替えスイッチ１６ｅの耐電圧を超えてしまう場合がある。そしてこの過電圧の入力によって、切り替えスイッチ１６ｅにおいて、受信すべきチャンネルの放送信号（希望波）に歪みが生じてしまうこととなる。そこで、切り替えスイッチ１６ｅと受信アンテナ１５（入力端子１６ｃ）との間に送信信号の周波数帯域の信号を減衰させるＳＡＷフィルタ１６ｄを挿入することにより、切り替えスイッチ１６ｅにはレベルの大きな送信信号が入力されず、放送信号の歪みを発生しにくくできる。したがって、送信信号による妨害の少なく、テレビ放送やマルチメディア放送の受信品質の良好なチューナ部１６（携帯電話１１）を実現できる。
【００３０】
ここで、切り替えスイッチ１６ｅには耐電圧が低い半導体を使用することができ、非常に低電圧での駆動ができる。従って、バッテリー寿命を長くできるとともに、別途昇圧回路（ＤＣ−ＤＣコンバータやチャージポンプ回路）などを設ける必要がなく、安価かつ小型のチューナ部１６（携帯電話１１）を得ることができる。
【００３１】
また、切り替えスイッチ１６ｅには大きなレベルの信号が入力されないので、切り替えスイッチ１６ｅに耐電圧の優れた高価な半導体を使用する必要がない。したがって、非常に安価なチューナ部１６（携帯電話１１）を実現できる。
【００３２】
さらに、ＳＡＷフィルタ１６ｄはＵＨＦの周波数帯域より高い周波数を減衰するローパス型のＳＡＷフィルタであるので、切り替えスイッチ１６ｅとＶＨＦ用チューナ１６ｂの周波数変換回路１７との間にフィルタ（ローパスフィルタ）を設けなくてもよい。したがって安価なチューナ部１６（携帯電話１１）を実現できる。
【００３３】
次に、本実施の形態におけるチューナ部１６の構造について説明する。図３は、本実施の形態におけるチューナ部の断面図である。図３において図１と同じものには、同じ名称と同じ符号を用い、その説明は簡略化している。図３において、半導体素子３１（電子部品の一例として用いた）には、ＵＨＦ用チューナ１６ａやＶＨＦ用チューナ１６ｂの一部の回路が形成された集積回路である。そしてこの半導体素子３１は、プリント基板３２の上面に実装されることで、プリント基板３２上にＵＨＦ用チューナ１６ａやＶＨＦ用チューナ１６ｂが形成される。
【００３４】
さらにこのプリント基板３２の上面には、切り替えスイッチ１６ｅやＳＡＷフィルタ１６ｄが実装され、プリント基板３２上に高周波回路（チューナ部１６の回路）が形成されている。
【００３５】
ここで、送受信アンテナ１２ｄや送信器１２ｂと、切り替えスイッチ１６ｅとの距離も非常に近い。したがって、送信信号が切り替えスイッチ１６ｅへ入力される経路は、受信アンテナ１５を介して入力されるだけではない。つまり、送受信アンテナ１２ｄから放射された送信信号が、直接に切り替えスイッチ１６ｅ（もしくはその近隣の回路やパターン）へ飛び込むこともありえる。そこで、プリント基板３２の上面には、これら半導体素子３１や切り替えスイッチ１６ｅやＳＡＷフィルタ１６ｄなどの電子部品を覆う樹脂部３３を形成し、この樹脂部３３の周囲（上面と側面）全周をシールド金属３４で覆っている。
【００３６】
これによりＵＨＦ用チューナ１６ａ、ＶＨＦ用チューナ１６ｂ、切り替えスイッチ１６ｅやＳＡＷフィルタ１６ｄなどは、上面と側面とがシールド金属３４によって囲まれる。したがって、送信器１２ｂの送信信号が、受信アンテナ１５を介さずに、直接切り替えスイッチ１６ｅ、ＵＨＦ用チューナ１６ａ、ＶＨＦ用チューナ１６ｂなどへ飛び込みにくくできる。したがってさらに切り替えスイッチ１６ｅに大きなレベルの信号が入力されなくでき、送信器１２ｂによる妨害を生じにくくできる。なお、本実施の形態において、シールド金属３４は樹脂部３３表面に形成されたスパッタ薄膜であるが、これはメッキや厚膜あるいはシールドケースなどでもよい。
【００３７】
また、本実施の形態においては、プリント基板３２の側面にもシールド金属３４が形成されている。これにより、さらに直接切り替えスイッチ１６ｅ、ＵＨＦ用チューナ１６ａ、ＶＨＦ用チューナ１６ｂなどへ直接送信信号が飛び込みにくくでき、送信器１２ｂによる妨害を生じにくくできる。
【００３８】
さらに、このシールド金属３４はプリント基板３２の下面に設けられたシールド端子１６ｊへと電気的に接続されている。そして、このように構成されたチューナ部１６が携帯電話１１の親基板（図示せず）へ搭載されたときに、シールド端子１６ｊは携帯電話１１のグランドと接続される。これにより、さらにしっかりとチューナ部１６の回路をシールドすることができる。したがってさらに切り替えスイッチ１６ｅへ大きなレベルの信号が入力されなくでき、送信器１２ｂによる妨害を生じにくくできる。
【００３９】
本実施の形態では、プリント基板３２には多層基板を用いている。そして、このプリント基板３２の内層には、グランドパターン３５が形成される。なお、グランドパターン３５はプリント基板３２の内層において全面グランドとしている。したがって、グランドパターン３５はプリント基板３２の側面において露出する。そしてグランドパターン３５はプリント基板３２の側面の露出部において、シールド金属３４と接続されている。これにより、チューナ部１６の回路は下方から妨害信号の入射も防ぐことができることとなり、さらにしっかりとチューナ部１６の回路をシールドすることができる。したがってさらに切り替えスイッチ１６ｅへ大きなレベルの信号が入力されなくでき、送信器１２ｂによる妨害を生じにくくできる。
【００４０】
なお、本実施の形態において、プリント基板３２には、グランドパターン３５とシールド端子１６ｊとを接続する接続導体が形成することにより、シールド金属３４とシールド端子１６ｊとを接続している。
【００４１】
さらに、入力端子１６ｃは、ＳＡＷフィルタ１６ｄの入力の下方（ほぼ直下）に形成している。つまり、入力端子１６ｃとＳＡＷフィルタ１６ｄとの間のインダクタンス値を小さくできる。つまり、他の回路と電磁的な結合を小さくできるので、入力端子１６ｃへ入力された信号（送信信号も含む）は、確実にＳＡＷフィルタ１６ｄへと入力され、他の回路や線路（パターン）などへ飛び込みにくくできる。したがって、送信信号が切り替えスイッチ１６ｅへ飛び込みにくくできるので、さらに送信信号による妨害に強いチューナ部１６（携帯電話１１）を実現できる。
【産業上の利用可能性】
【００４２】
本発明にかかる高周波信号受信装置は、送信器から出力される送信信号による妨害を受けにくく、かつ低電圧で駆動できるという効果を有し、テレビ放送受信用のチューナが内蔵された携帯電話等に用いると有用である。
【符号の説明】
【００４３】
１２ｂ  送信器
１５  受信アンテナ
１６  チューナ部
１６ａ  ＵＨＦ用チューナ
１６ｂ  ＶＨＦ用チューナ
１６ｃ  入力端子
１６ｄ  ＳＡＷフィルタ
１６ｅ  切り替えスイッチ
１６ｈ  出力端子
１６ｉ  出力端子
【図１】
2011239004.tif 000003
【図２】
2011239004.tif 000004
【図３】
2011239004.tif 000005
【図４】
2011239004.tif 000006